(57)【要約】  【課題】  番組を構成する複数の放送素材を送出する事前に、該番組の音声モードに対して決められた必須音声チャンネルに応じた音声信号があるかどうかを容易に確認する。  【解決手段】  番組を構成する複数の放送素材を送出する事前に、画面上に、該番組の音声モードに対して決められた必須音声チャンネルと、該番組の該必須音声チャンネルに応じた音声信号を表示することを特徴とする（Ｓ２１０，Ｓ２１１）。【選択図】  図２
2005101701.tif 000002
【特許請求の範囲】
【請求項１】
番組を構成する複数の放送素材を送出する事前に、画面上に、該番組の音声モードに対して決められた必須音声チャンネルと、該番組の該必須音声チャンネルに応じた音声信号を表示することを特徴とする音声信号確認方法。
【発明の詳細な説明】
【技術分野】
【０００１】
本発明は、複数の放送素材によって構成される番組を送出するための放送素材送出システムに係わり、番組を構成する複数の放送素材を送出する事前に、該番組の音声モードに対して決められた必須音声チャンネルに応じた音声信号があるかどうかを確認する技術に関するものである。
【背景技術】
【０００２】
放送局などで、映像信号および音声信号を収録・再生するためのビデオサーバを用いて番組などの放送素材の編集や送出を行う放送素材送出システムは公知で、例えば特許文献１に記載されている。
【０００３】
ビデオサーバから出力される映像信号および音声信号を外部に送出（オンエア）する事前に、番組の音声モードに対して決められた必須音声チャンネルに応じた音声信号があるかどうかを確認する必要がある。
【０００４】
従来のアナログ放送では、音声は２チャンネルのみであり、音声モードの種類もモノラル、ステレオ、デュアルの３種類しかなかった。したがって、どの音声モードの素材であっても、素材再生時に耳で聞いて確認を行うことが容易にできた。
【０００５】
【特許文献１】特開平１０−３２７３１号公報
【発明の開示】
【発明が解決しようとする課題】
【０００６】
しかしながら、２００３年から開始される地上波デジタル放送では、音声は８チャンネルまである。８チャンネルのなかで使用する必須音声チャンネル数は、番組により決められた音声モードによって予め定められている。したがって各番組により音声モードが異なり、該音声モードによりチャンネル数が異なる。
【０００７】
図８は、デジタル放送の音声モードと必須音声チャンネルとの関係を示す図である。音声モードにはそれぞれコードと名称が付されており、例えばコードＭはモノラルで、この場合の音声必須チャンネルはチャンネル１（ＣＨ１）で、音声の内容はＭ（モノラル）である。またコードＳはステレオで、この場合の音声必須チャンネルはチャンネル１（ＣＨ１）とチャンネル２（ＣＨ２）で、音声の内容はＬ（左信号）とＲ（右信号）である。また、コード５１は５．１サラウンドで、この場合の音声必須チャンネルはチャンネル１（ＣＨ１）から６（ＣＨ６）までで、音声の内容はＬとＲとＣ（中央信号）とＬＦＥ（ウーハー、低音）とＬＳ（リア左信号）とＲＳ（リア右信号）である。このように音声モードにより音声必須チャンネルと音声の内容が種々異なる。
【０００８】
また、ビデオサーバへのファイリング時に、オリジナル素材の音声を別の音声チャンネルに入れ替えたり（音声マッピング）、デジタル放送用のステレオチャンネル素材の音声を、アナログ放送用の２チャンネルモノラルに作り変える（ダウンミックス）を行うこともある。
【０００９】
図９は、ダウンミックスの例を示す図である。２チャンネルステレオからデュアルモノラルに変換する例で、入力がコード２Ｓの２ステレオの場合、音声必須チャンネルはチャンネル１から４で、音声の内容はＬ１（第１の左信号）、Ｒ１（第１の右信号）、Ｌ２（第２の左信号）、Ｒ２（第２の右信号）であるが、出力をコード２Ｓ２Ｍにするには、音声必須チャンネルがチャンネル１とチャンネル２のみ、音声の内容をＭ１（第１の左右信号の和）、Ｍ２（第２の左右信号の和）にする。
【００１０】
地上波デジタル放送の場合に、各番組の音声モードを、該音声モードに対応するコード及び該音声モードの内容を示す名称で、画面に表示することができるが、それだけでは、該音声モードによって定められている必須音声チャンネルに応じた音声信号が存在しているかどうかの判断がつきにくいという課題が発生する。
【００１１】
本発明の目的は、番組を構成する複数の放送素材を送出する事前に、該番組の音声モードに対して決められた必須音声チャンネルに応じた音声信号があるかどうかを容易に確認することが可能な必須音声チャンネルの音声信号有無確認方法を提供することにある。
【課題を解決するための手段】
【００１２】
本発明は、番組を構成する複数の放送素材を送出する事前に、画面上に、該番組の音声モードに対して決められた必須音声チャンネルと、該番組の該必須音声チャンネルに応じた音声信号を表示することを特徴とする。
【発明の効果】
【００１３】
本発明によれば、番組を構成する複数の放送素材を送出する事前に、該番組の音声モードに対して決められた必須音声チャンネルに応じた音声信号があるかどうかを容易に確認することが可能な必須音声チャンネルの音声信号有無確認方法を得ることが可能である。
【発明を実施するための最良の形態】
【００１４】
図１は、本発明の実施の形態の放送素材送出システムの構成を示すブロック図である。図１において、１０１は映像音声素材、１０２は映像音声再生装置、１０３はビデオサーバ、１０４は分配器、１０５はモニタ、１０６は登録卓（例えばパソコン）、１０７はサウンドボード、１０８は映像モニタ、１０９は制御用コンピュータ、１１０はデータサーバである。
【００１５】
番組を構成する複数の映像音声素材１０１は、映像音声再生装置１０２で再生され、ビデオサーバ１０３でＭＰＥＧ２に圧縮され記録される。ビデオサーバ１０３から出力される映像音声信号は分配器１０４を経由して外部に送出（オンエア）され、またその際モニタ１０５でモニタされる。
【００１６】
番組を構成する複数の映像音声素材すなわち放送素材を外部に送出（オンエア）する事前に、該番組の音声モードに対して決められた必須音声チャンネルに応じた音声信号がその放送素材にあるかどうかを確認する必要がある。
【００１７】
そのために映像登録卓１０６を起動する。映像登録卓１０６を起動すると、記録された映像音声信号は登録卓１０６を経由して映像モニタ１０８でモニタされるとともに、音声信号がサウンドボード１０７に入力され、サウンドボード１０７で番組の音声モードにより決められた必須音声チャンネルに分けられ、各チャンネルの音声信号が登録卓１０６の操作画面に表示される。
【００１８】
図２は、図１において、登録卓１０６を起動してから、番組の音声モードにより決められている必須音声チャンネルおよび音声信号が登録卓１０６の操作画面に表示されるまでのフローを示す図である。
【００１９】
まず、ステップＳ２０１において、登録卓１０６を起動する。すると次のステップＳ２０２で、データサーバ１１０で管理しているデータを登録卓１０６へデータ読み込みする。次のステップｓ２０３で、登録卓１０６の操作画面に番組一覧を表示する。
【００２０】
図３は、図１の登録卓１０６の操作画面に表示された番組一覧表示１０６Ａの例を示す図である。図３において、番組一覧表示１０６Ａは、例えば番組コード、放送日、番組名およびサブタイトルの項目をもって表示される。
【００２１】
次のステップｓ２０４で、番組を一つ選択する。例えば図３において、一つの番組名を選択し、「プレビュー」ボタンをクリック操作する。
【００２２】
次のステップｓ２０５で、登録卓１０６の操作画面をプレビュー画面表示に遷移するとともに、データサーバ１０３から登録卓１０６へ選択した番組の情報（番組コードを含む）が入力される。
【００２３】
図４は、図１の登録卓１０６の操作画面がプレビュー画面表示１０６Ｂの場合の例を示す図である。図４において、４０１は番組のイベント表示欄、４０２は各イベントの先頭の画面パネル、４０３は映像再生パネル、４０４は操作キー、４０５は音声表示欄である。
【００２４】
ステップＳ２０６で、登録卓１０６のプレビュー画面表示１０６Ｂで再生キーを操作する。図４においては操作キーボタン列４０４の中の再生キーボタンをクリック操作する。
【００２５】
すると次のステップＳ２０７で、登録卓１０６から再生動作を行うことを伝達された制御用コンピュータ１０９が、ビデオサーバ１０３を制御して映像・音声信号を出力させる。
【００２６】
次のステップＳ２０８で、出力された映像・音声信号を登録卓１０６を経由してビデオモニタ１０８に伝え、ビデオモニタ１０８で映像信号を表示する。また登録卓１０６の操作画面でも映像信号を表示する。図４においては、映像再生パネル４０３に表示する。
【００２７】
次のステップＳ２０９で、音声信号をサウンドボード１０７に伝え、サウンドボード１０７で各チャンネルの音声信号に分け、登録卓１０６に入力する。
【００２８】
次のステップＳ２１０で、登録卓１０６は番組コードと必須音声チャンネルの対応を示す図８のテーブルを備えているので、番組コードから必須音声チャンネルを読み取り、その番組に対して必須音声チャンネルがどのチャンネルであるかが分かるように、図４の音声表示欄４０５に表示する。
【００２９】
図５は、図４の音声表示欄４０５で、必須音声チャンネルや音声信号レベルの表示例を示す図である。図５においては、音声８チャンネルの各チャンネル用として枠５０１，５０２，５０３，５０４，５０５，５０６、５０７および５０８が配置されている。
【００３０】
登録卓１０６は、今、番組の音声モードが例えば５．１サラウンドであると認識すると、図８で示すように、５．１サラウンドの場合の必須音声チャンネルはチャンネル１から６までであるので、チャンネル１から６用に対応する枠５０１から５０６の色を、例えば色無しから色有りに変えることで、必須音声チャンネルを表示する。
【００３１】
また、ステップＳ２１１で、登録卓１０６は各チャンネルの音声信号を枠５０１から５０６の枠中に音声レベルメータ表示６０１から６０６として表示する。
【００３２】
この際、ステップ２１２で、登録卓１０６は必須音声チャンネルに音声信号が存在しているかどうかを判断する。判断の結果、Ｎｏであれば、ステップｓ２１３で、警告画を登録卓１０６の画面に表示する。
【００３３】
図６は、図４の音声表示欄４０５で、必須音声チャンネルや音声信号レベルの表示の他の例を示す図である。図６は、必須音声チャンネル１から６のなかでチャンネル３に音声信号がなく且つそのレベルが上がらないことを表示している。この際登録卓１０６は画面に警告画を表示する。図７は図６の場合の警告画の例で、図４の画面１０６Ｂの中央に図７の警告画７５０を表示する。
【００３４】
ステップＳ２１２で、判断の結果、ＹＥＳであれば、次のステップＳ２１４で、停止キーが押されて再生が終りであるかどうかを判断し、ＹＥＳの場合は終了し、ＮＯの場合はステップＳ２０７に戻り、再度次の映像・音声信号を表示し、停止キーが押されるまで繰り返す。
【００３５】
本実施の形態によれば、番組を構成する複数の放送素材を送出する事前に、該番組の音声モードに対して決められた必須音声チャンネルを視覚的に表示するので、必須音声チャンネルに応じた音声信号があるかどうかを容易に確認することができる。また本実施の形態によれば、必須音声チャンネルに音声信号がない場合警告画を画面上に表示するので、確認がより確実となり、業務効率が向上する。
【図面の簡単な説明】
【００３６】
【図１】本発明の実施の形態の放送素材送出システムの構成を示すブロック図である。
【図２】図１において、登録卓を起動してから、番組の音声モードにより決められている必須音声チャンネルおよび音声信号が登録卓の操作画面に表示されるまでのフローを示す図である。
【図３】図１の登録卓１０６の操作画面に表示された番組一覧の例を示す図である。
【図４】図１の登録卓１０６の操作画面がプレビュー画面の場合の例を示す図である。
【図５】図４の音声表示欄で、必須音声チャンネルや音声信号レベルの表示例を示す図である。
【図６】図４の音声表示欄で、必須音声チャンネルや音声信号レベルの表示の他の例を示すが、必須音声チャンネルのなかに音声信号が１チャンネル分ないことを示す図である。
【図７】図６の場合の警告画の例を示す図である。
【図８】デジタル放送の音声モードと必須音声チャンネルとの関係を示す図である。
【図９】ダウンミックスの例を示す図である。
【符号の説明】
【００３７】
１０１：映像音声素材、１０２：映像音声再生装置、１０３：ビデオサーバ、１０４：分配器、１０５：モニタ、１０６：登録卓、１０６Ａ：番組一覧表示、１０６Ｂ：プレビュー画面表示、１０７：サウンドボード、１０８：映像モニタ、１０９：制御用コンピュータ、１１０：データサーバ、４０１：番組のイベント表示欄、４０２：各イベントの先頭の画面パネル、４０３：映像再生パネル、４０４：操作キーボタン列、４０５：音声表示欄、５０１，５０２，５０３，５０４，５０５，５０６，５０７，５０８：枠、６０１，６０２，６０３，６０４，６０５，６０６：音声レベルメータ表示、７５０：警告画。
【図１】
2005101701.tif 000003
【図２】
2005101701.tif 000004
【図３】
2005101701.tif 000005
【図４】
2005101701.tif 000006
【図５】
2005101701.tif 000007
【図６】
2005101701.tif 000008
【図７】
2005101701.tif 000009
【図８】
2005101701.tif 000010
【図９】
2005101701.tif 000011